(57)【特許請求の範囲】
【請求項１】
複数の入力装置が接続可能な入力端子を備え、複数のゾーンに各々配置されているスピーカシステム等の出力部と入力操作部とがＡＶシステム本体に接続され、
前記ＡＶシステム本体には、前記入力端子に接続されている入力装置を切換えることが可能な入力切換機能、前記出力部のボリュームを変更することが可能なボリューム機能等の複数の機能が設定され、各機能に対する操作が前記入力操作部を操作することによりゾーン毎に可能である、マルチゾーン用ＡＶシステムにおいて、
各ゾーンの機能設定用入力信号を別々に受ける複数の入力ポートと、
前記ＡＶシステム本体に設定されている前記複数の機能について、前記複数のゾーンにおけるそれぞれ同一の機能に対する同時操作、および、それぞれ異なる機能に対する同時操作が競合する組合せを記憶するとともに、競合する組合せの同時操作が行われた場合にどの操作を優先するかを記憶したテーブルと、
前記複数の入力ポートへの入力信号により複数のゾーンでの同時操作があったことを判定したときに、前記テーブルを参照して、該同時操作が前記競合しない組合せのものであるときには、各操作を有効なものとして処理し、前記競合する組合せのものであるときには前記テーブルを参照して、優先される操作のみ有効なものとして処理する制御手段と、を設けたことを特徴とする、マルチゾーン用ＡＶシステムの機能制御装置。
【発明の詳細な説明】
【０００１】
【発明の属する技術分野】
この発明は、マルチゾーン（複数区域）用ＡＶシステムにおいて、ボリューム機能、インプット切換機能等の各機能に対して各ゾーンで同時に操作を行うことのできるマルチゾーン用ＡＶシステムの機能制御装置に関する。
【０００２】
【従来の技術】
一般に、マルチゾーン用ＡＶシステムは、リモコン等を使って、ゾーン毎にそのゾーンの機能を操作出来るようになっている。例えば、メインルームとサブルームのそれぞれのボリュームについては、各ルーム毎にボリューム機能を操作出来る。
【０００３】
従来のマルチゾーン用ＡＶシステムでは、ＡＶシステム本体に設けられている１つの入力ポートに対し、各ゾーンに設けられているリモコン受光部を介してボリューム等の機能を制御するための信号が入力されるようになっている。
【０００４】
【発明が解決しようとする課題】
しかしながら、入力ポートが１つしかないＡＶシステムでは、複数のゾーンでそれぞれリモコンを同時操作すると信号が干渉してしまい、正しく動作しない。また、厳密には同時ではなくても時間的に接近した殆ど同時の操作であると、その操作対象となる機能が同一のものであったり、関連するものであると相互に干渉してしまう問題がある。これを同時操作の競合という。たとえば、或るゾーンでのボリューム機能を複数のゾーンで同時に操作しようとすれば、ボリューム値がアップしたりダウンしたりして、希望するボリューム設定にできなくなってしまう。
【０００５】
この発明の目的は、同時操作が競合しないときには各操作に対応する機能をそれぞれ処理し、同時操作が競合する時には、あらかじめ決められた優先する操作を有効なものとして処理することにより、同時操作が競合した時の不具合をなくすことのできるマルチゾーン用ＡＶシステムの機能制御装置を提供することにある。
【０００６】
【課題を解決するための手段】
この発明のマルチゾーン用ＡＶシステムの機能制御装置は、
複数の入力装置が接続可能な入力端子を備え、複数のゾーンに各々配置されているスピーカシステム等の出力部と入力操作部とがＡＶシステム本体に接続され、
前記ＡＶシステム本体には、前記入力端子に接続されている入力装置を切換えることが可能な入力切換機能、前記出力部のボリュームを変更することが可能なボリューム機能等の複数の機能が設定され、各機能に対する操作が前記入力操作部を操作することによりゾーン毎に可能である、マルチゾーン用ＡＶシステムにおいて、
各ゾーンの機能設定用入力信号を別々に受ける複数の入力ポートと、
前記ＡＶシステム本体に設定されている前記複数の機能について、前記複数のゾーンにおけるそれぞれ同一の機能に対する同時操作、および、それぞれ異なる機能に対する同時操作が競合する組合せを記憶するとともに、競合する組合せの同時操作が行われた場合にどの操作を優先するかを記憶したテーブルと、
前記複数の入力ポートへの入力信号により複数のゾーンでの同時操作があったことを判定したときに、前記テーブルを参照して、該同時操作が前記競合しない組合せのものであるときには、各操作を有効なものとして処理し、前記競合する組合せのものであるときには前記テーブルを参照して、優先される操作のみ有効なものとして処理する制御手段と、を設けたことを特徴とする。
【０００７】
この発明のマルチゾーン用ＡＶシステムでは、複数のゾーンで同時操作があることを複数の入力ポートへの入力信号で検出すると、テーブルを参照してその同時操作が競合しないグループと競合するグループのどちらに属するかを判定する。競合するとは、各操作が略同時であって、且つ各操作対象となる機能が同一のものであったり、関連するものであったときに、それぞれの操作による機能制御が相互に干渉してしまうことをいう。また、同時とは、時間的に完全に同時の場合はもちろん、数１０ｍｓ程度のズレも含む。
【０００８】
そして、競合しないグループの同時操作であれば、各操作を有効なものとして処理し、競合するグループの同時操作であれば、さらにテーブルを参照して優先される操作だけを有効なものとして処理する。これにより、或るゾーンにおけるボリューム機能を複数のゾーンから同時に操作された時には、これを競合するものとして当該ゾーンからのボリューム操作のみを有効なものとして処理し、また、２つのゾーンでそれぞれのゾーンのインプット切換機能が同時に操作されたときには、これを競合しないものとしてそれぞれ処理することが出来る。なお、同時操作が競合するものであるときには、時間をずらして再操作することにより、各操作を有効なものとして処理することが出来る。
【０００９】
以上により、競合する同時操作が行われたときに生じる不具合を解消し、また、競合しない同時操作については、各操作を処理することが出来る。
【００１０】
【発明の実施の形態】
図１は、この発明の実施形態であるマルチゾーン用ＡＶシステムの構成図である。
【００１１】
このＡＶシステムで適用されるゾーンは、メインとなるゾーン１と、サブとなるゾーン２とで構成され、ゾーン１には、ＡＶシステム本体１が配置されている。また、ゾーン１のＡＶシステム本体１には、アンプ２及びスピーカシステム３が接続され、ゾーン２には、アンプ４、スピーカシステム５及びリモコン受光部６が配置されている。
【００１２】
ＡＶシステム本体１は、リモコン受光部１０と、機能設定部１１と、制御部１２と、入出力制御部１３とを備えている。機能設定部１１は、ゾーン１用の機能とゾーン２用の機能を設定するものであり、設定可能な機能には、インプット、ボリューム等の各種機能がある。制御部１２は、２つの入力ポートＩＮ１、ＩＮ２を備え、第１の入力ポートＩＮ１にはリモコン受光部１０が接続され、第２の入力ポートＩＮ２には、ゾーン２に設けられているリモコン受光部６が接続されている。
【００１３】
制御部１２内に設けられるテーブルＴは、後述するように、ゾーン１、及びゾーン２での同時操作が競合しないグループと競合するグループ、及び、競合する場合に優先される操作を記憶するものであって、あらかじめＲＯＭ等の不揮発性メモリに記憶されている。なお、ＡＶシステム本体１には、インプット切換の機能によってセレクトされる、ＣＤ、ＬＤ、ＤＶＤ、ｐｈｏｎｏ、Ｔｕｎｅｒ等の入力装置が接続可能である。また、ゾーン１では、リモコン７によって、ゾーン１の各機能に対する操作が可能であり、ゾーン２では、リモコン８によってゾーン２の各機能に対する操作が可能である。さらに、リモコン７は、切換により、ゾーン２の機能に対する操作も可能である。このようにしているのは、ＡＶシステム本体のあるメインルームのゾーン１でゾーン２の機能の操作をしてから、ゾーン２のサブルームに行くことが使用上便利となるからである。そこで、同時操作の競合は、主に、ゾーン２でリモコン８による操作をしているときに、リモコン７でゾーン２の機能に対する操作を行っているときに生じる。
【００１４】
上記テーブルＴは、リモコン７、８による同時操作が競合しないグループと競合するグループ、及び、競合する場合に優先される操作を記憶している。図２は、このテーブルの一例を示している。図のテーブルにおいて、縦軸がゾーン２側のリモコンコード入力端子（入力ポートＩＮ２）に入力されるリモコンコード を示し、横軸がゾーン１側のリモコンコード入力端子（入力ポートＩＮ１）に入力されるリモコンコードを示している。○印は各リモコンの同時操作が可能であることを示し、×印は同時操作が不可能な場合（競合する場合）を示している。また、同時操作が競合する領域Ｐは、ゾーン２の操作が優先されるグループを示し、同時操作が競合する領域Ｑはゾーン１での操作が優先されるグループを示している。Ａ〜Ｕは、それぞれ図３に示す機能を示している。図２では、Ａ〜Ｎの各機能についてはゾーン１側の機能を示し、Ｏ〜Ｕの各機能についてはゾーン２側の機能を示している。
【００１５】
以上のテーブル構成から、たとえば、同時操作可能・不可能は次のように判定される。
【００１６】
（ｅｘ１） ゾーン２側において、リモコン８によりボリューム機能（Ｔ）に対する操作があった時、同時にゾーン１側においてゾーン１のインプット切換機能（Ｃ）の操作がリモコン７で行われると、それらの同時操作は可能となる。
【００１７】
（ｅｘ２）ゾーン２側において、リモコン８によりチューナー機能（Ｏ）に対する操作があった時、同時にゾーン１側においてリモコン７により同様なチューナー機能（Ｏ）に対する操作が行われると、それらの同時操作は不可能となる。この場合は、ゾーン１側での操作、つまりゾーン１側でのチューナー機能に対する操作が優先される。
【００１８】
（ｅｘ３）ゾーン２側において、リモコン８によりゾーン２ボリューム（Ｔ）に対する操作があった時、同時にゾーン１側においてリモコン７によりチューナー機能（Ｏ）に対する操作が行われると、それらの同時操作は不可能となる。この場合は、ゾーン２側での操作、つまり、ゾーン２ボリューム機能に対する操作が優先される。
【００１９】
同様に、ゾーン１側でボリューム（マスターボリューム）の制御（Ｈ）を行いながら、ゾーン２側でゾーン２ボリューム（ゾーン２出力ボリューム）の同時制御（Ｔ）が可能であり、さらに、ゾーン１側でインプット切換制御（Ｃ）を行いながら、ゾーン２側でゾーン２インプットの切換え（Ｑ）が可能となる。なお、ゾーン１側で、リモコン７によってゾーン２側の機能を制御する時には、リモコン７で指定ゾーンをゾーン１からゾーン２に切り換えてから各機能に対する操作を行う。
【００２０】
上記のようなテーブルに基づく機能制御を行うことにより、ゾーン１、ゾーン２で同時操作があった時に、機能に対する不具合が生じる時にはその同時操作を競合するものとし、あらかじめ決めた優先する操作を有効なものとして処理する。また、同時操作が不具合を生じないものであれば、その同時操作を競合しないものとして各操作を個々に有効なものとして処理する。これにより、各ゾーンでは、ある操作を行った時にその操作に対する制御が行われないとその操作に競合する操作が他のゾーンで行われたことを知ることができる。そこで、その場合には、もう一度同じ操作をすれば他のゾーンでの操作と同時的でなくなるために競合しなくなって、目的とする機能の設定が実現できる。なお、ゾーン１とゾーン２で行われた操作が同時であって且つ競合する時には、その旨を各ゾーンの適当な箇所（たとえは、ＡＶシステム本体１や受光部６）に表示することにより、操作者にその旨を報知することが望ましい。
【００２１】
また、テーブルＴの内容は、使いやすさを前提にして決められるが、この内容を状況に応じて変更することも可能である。
【００２２】
図４は、リモコン操作があった時の機能制御を行う概略のフローチャートである。
【００２３】
この制御では、リモコン７と８により同時操作があった場合でもシングルタスクによってそれらの操作に対する処理が行われる。
【００２４】
ステップＳＴ１では、リモコン７の操作があって受光部１０でリモコン信号を受光したかどうかの判定を行う。前述のように、リモコン７は、切換スイッチによって、ゾーン１側の機能に対する操作とゾーン２側の機能に対する操作を行うことが可能になっている。受光部１０での受光信号は、制御部１２の第１のポートＩＮ１に入力し、制御部１２内のバッファ領域として確保されているメモリに信号Ｓ１として一時記憶される（ＳＴ２）。信号Ｓ１を一時記憶した後、またはリモコン７の操作がなかった時には、ＳＴ３に進む、ＳＴ３、ＳＴ４では、上記ＳＴ１、ＳＴ２と同様の処理が行われ、受光部６でリモコン８からの信号を受光すれば、その信号Ｓ２が一時記憶される（ＳＴ４）。
【００２５】
ＳＴ５においては、上記信号Ｓ１と信号Ｓ２が競合するかの判定を行う。この判定には図２に示すテーブルＴが参照される。すなわち、信号Ｓ１と信号Ｓ２とが、同時操作が競合しないグループに対応するものであれば、ＳＴ１５以下の処理が行われ、同時操作が競合するグループに対応するものであれば、ＳＴ６の処理が行われる。競合する時には、さらに、テーブルＴを参照することによって、ゾーン１側の操作が優先される領域Ｑに対応するか、ゾーン２側の操作が優先される領域Ｐに対応するものかが判定される。そして、優先する方の操作に対する処理をＳＴ６で行う。
【００２６】
ＳＴ５で、信号Ｓ１、Ｓ２が同時操作の競合しないグループに対応するものであれば、ＳＴ１５以下において、各操作を順次処理する。すなわち、ＳＴ１５で、フラグＦをリセットして、ＳＴ１６→ＳＴ１７と進むことによって信号Ｓ１に対する処理を行い、さらに、ＳＴ１８でフラグを１にセットすることによって、ＳＴ１６→ＳＴ１９と進んで、信号Ｓ２に対する処理を行う。信号Ｓ１または信号Ｓ２のいずれかしか記憶されていないときには、その記憶されている信号についてのみＳＴ１７かＳＴ１９において処理される。
【００２７】
このように、ゾーン１側とゾーン２側において、リモコン７、８によって操作されたリモコン信号Ｓ１、Ｓ２をメモリに一時記憶しておいて、同時操作があった時には、それらの操作が競合するかどうかをテーブルＴを参照して判定する。そして、競合する時には、さらにテーブルＴを参照することによっていずれか優先する方の操作を有効なものとして、優先操作に対応する信号Ｓ１またはＳ２に対する処理を行う。また、競合しない時には両方の操作を有効なものとして、信号Ｓ１及びＳ２に対する順次処理を行う。なお、ゾーン１またはゾーン２のいずれか一方のゾーンでのみ操作があった時には、当然、他のゾーンの操作と競合しないことになるから、ＳＴ５→ＳＴ１５と進み、操作のあった信号に対する処理を行う。
【００２８】
なお、上記実施形態では、使用ゾーンをゾーン１とゾーン２の２つのゾーンで構成した例を示しているが、これ以上のゾーンであっても同様に構成することが可能である。
【００２９】
【発明の効果】
この発明によれば、各ゾーンでの同時操作があった時に、その同時操作が競合しないグループのものである時には各操作を有効なものとして処理し、競合するグループのものである時には優先される操作のみ有効なものとして処理するため、ボリュームを上げたにもかかわらず他のゾーンでの操作によってボリュームが下がってしまうというな機能設定に対する不具合がない。また、同時操作が競合しない時には、従来と同様に同時操作のそれぞれが有効なものとして処理される。これにより、各ゾーンでの操作者（ユーザ）は、ストレスなく操作を行うことができる。
【図面の簡単な説明】
【図１】この発明の実施形態であるマルチゾーン用ＡＶシステムの構成図
【図２】テーブルの一例を示す図
【図３】各機能とその機能の一部説明図
【図４】機能制御の動作を示すフローチャート
【図１】
0003996413.tif 000002
【図２】
0003996413.tif 000003
【図３】
0003996413.tif 000004
【図４】
0003996413.tif 000005